(57)【要約】神経／筋肉治療機能を有する移動通信端末機、および前記移動通信端末機と連動される電極モジュールを開示する。前記移動通信端末機は、本体と、前記本体と着脱可能に結合されるバッテリーパックとを含む。前記バッテリーパックは、前記移動通信端末機本体とインターフェースする通信インターフェース部と、電極モジュールと無線で通信する無線通信部と、前記無線通信部を介して前記電極モジュールに該当動作制御信号を送信するパック制御部とを含む。前記本体は、使用者操作部と、表示部と、無線データ通信網を介して信号を送／受信する無線データ通信部と、前記バッテリーパックに設けられる通信インターフェース部と結合されて該当信号を送受信する外部通信インターフェース部と、前記表示部を介して操作案内情報を出力し、前記使用者操作部から入力される使用者操作信号の選択によって前記外部通信インターフェース部を介して前記バッテリーパックに該当動作を命令する本体制御部とを含んでなる。
2006515192.tif 000002
【特許請求の範囲】
【請求項１】
対応する外部の無線通信部と通信が可能な第1無線通信部と；
前記第１無線通信部から、前記外部無線通信部からの電気刺激動作制御信号を受けて電気刺激動作を制御する電極制御部と；
前記電気刺激動作制御信号に応じて対応電気刺激信号を発生し、これを電極に印加する刺激信号発生回路と；
を含んでなることを特徴とする、電極モジュール。
【請求項２】
対応する外部の無線通信部と通信が可能な第１無線通信部と；
前記第１無線通信部から、前記外部の無線通信部からの筋電図測定動作制御信号を受けて筋電図信号検出動作を制御し、検出された筋電図信号を前記第１無線通信部を介して前記外部無線通信部に送信する電極制御部と；
前記筋電図測定動作制御信号に応じて、身体の該当部位から発生して電極を介して引き起こされる筋電図信号を検出して前記電極制御部に伝達する筋電図信号検出回路と；
を含んでなることを特徴とする、電極モジュール。
【請求項３】
前記電極モジュールが、
外周面が非導電性を有する円筒状の本体と；
前記本体の外周面に設けられる導電性の前記電極と；
前記本体の外周面に設けられる少なくとも一つ以上の離脱防止突出部と；
を少なくとも含む体腔挿入用であり、
前記第１無線通信部、前記電極制御部、および前記回路部が前記本体に内蔵されることを特徴とする、請求項１または２に記載の電極モジュール。
【請求項４】
対応する外部の無線通信部と通信が可能な第１無線通信部と；
前記第１無線通信部から、前記外部の無線通信部からの圧力測定動作制御信号を受けて圧力信号検出動作を制御し、検出された圧力信号を前記第１無線通信部を介して前記外部無線通信部に送信するセンサー制御部と；
前記圧力測定動作制御信号に応じて、圧力を検出し、これを前記センサー制御部に伝達する圧力センサーと；
を含んでなることを特徴とする、圧力センサーモジュール。
【請求項５】
前記圧力センサーモジュールが、
ゴム性質を有する円筒状の本体と；
前記本体の外周面に設けられる少なくとも一つ以上の離脱防止突出部と；
を少なくとも含む体腔挿入用であり、
前記第１無線通信部、前記センサー制御部、および前記圧力センサーが前記本体に内蔵されることを特徴とする、請求項４に記載の圧力センサーモジュール。
【請求項６】
相互間に無線通信を行う本体、および電極モジュールからなり、
前記電極モジュールが、
前記本体と無線で通信する第１無線通信部と；
前記第１無線通信部から、前記本体からの電気刺激動作制御信号を受けて電気刺激動作を制御する電極制御部と；
前記電気刺激動作制御信号に応じて対応電気刺激信号を発生し、これを電極に印加する刺激信号発生回路と；
を含んでなり、
前記本体が、
使用者操作部と；
表示部と；
前記電極モジュールと無線で通信する第２無線通信部と；
前記表示部を介して操作案内情報を出力し、前記使用者操作部から入力される使用者操作信号の選択によって前記無線通信部を介して前記電極モジュールに前記電気刺激動作制御信号を送信する本体制御部と；
を含んでなることを特徴とする、携帯用神経／筋肉治療装置。
【請求項７】
前記本体が、一つ以上の刺激パターン情報を有し、対応刺激パターン情報を提供する刺激パターン処理部をさらに含んでなることを特徴とする、請求項６に記載の携帯用神経／筋肉治療装置。
【請求項８】
相互間に無線通信を行う本体、および電極モジュールからなり、
前記電極モジュールが、
前記本体と無線で通信する第１無線通信部と；
前記第１無線通信部から、前記本体からの筋電図信号検出動作制御信号を受けて筋電図信号検出回路の動作を制御し、検出された筋電図信号を前記第１無線通信部を介して前記本体に送信する電極制御部と；
電極によって感知される筋電図信号を検出する前記筋電図信号検出回路と；
を含んでなり、
前記本体が、
使用者操作部と；
表示部と；
前記電極モジュールと無線で通信する第２無線通信部と；
前記表示部を介して操作案内情報を出力し、前記使用者操作部から入力される使用者操作信号の選択によって前記第２無線通信部を介して前記電極モジュールに前記筋電図信号検出動作制御信号を送信し、筋電図信号処理された結果情報を前記表示部を介して出力する本体制御部と；
前記第２無線通信部から受信される前記電極モジュールからの筋電図検出データに応じて筋電図信号処理し、その結果情報を提供する筋電図信号処理部と；
を含んでなることを特徴とする、携帯用神経／筋肉治療装置。
【請求項９】
相互間に無線通信を行う本体、および圧力センサーモジュールからなり、
前記圧力センサーモジュールが、
前記本体と無線で通信する無線通信部と；
前記第１無線通信部から、前記本体からの圧力測定動作制御信号を受けて圧力信号検出動作を制御し、検出された圧力信号を前記第１無線通信部を介して前記本体に送信するセンサー制御部と；
前記圧力測定動作制御信号に応じて、圧力を検出し、これを前記センサー制御部に伝達する圧力センサーと；
を含んでなり、
前記本体が、
使用者操作部と；
表示部と；
前記圧力センサーモジュールと無線で通信する第２無線通信部と；
前記表示部を介して操作案内情報を出力し、前記使用者操作部から入力される使用者操作信号の選択によって前記無線通信部を介して前記圧力センサーモジュールに前記圧力測定動作制御信号を送信し、圧力測定処理された結果情報を前記表示部を介して出力する本体制御部と；
前記第２無線通信部から受信される前記圧力センサーモジュールからの圧力検出データに応じて圧力測定処理し、その結果情報を提供する圧力測定処理部と；
を含んでなることを特徴とする、携帯用神経／筋肉治療装置。
【請求項１０】
前記本体が移動通信端末機であることを特徴とする、請求項６〜９のいずれか一項に記載の携帯用神経／筋肉治療装置。
【請求項１１】
前記第２無線通信部が、前記移動通信端末機の通信コネクタに連結される外装型であることを特徴とする、請求項１０に記載の携帯用神経／筋肉治療装置。
【請求項１２】
前記本体が、前記筋電図信号処理結果情報と圧力測定結果情報のなかでいずれか一つを無線データ通信部を介してホストコンピュータに送信し、前記無線データ通信部を介して入力される前記ホストコンピュータからの分析結果を前記表示部を介して表示するように制御する遠隔分析部をさらに含んでなることを特徴とする、請求項１１に記載の携帯用神経／筋肉治療装置。
【請求項１３】
移動通信端末機本体と着脱可能に結合されるバッテリーパック、および電極モジュールからなり、
前記電極モジュールが、
前記バッテリーパックと無線で通信する第１無線通信部と；
前記第１無線通信部から、前記バッテリーパックからの電気刺激動作制御信号を受けて電気刺激動作を制御する電極制御部と；
前記電気刺激動作制御信号に応じて対応電気刺激信号を発生し、これを電極に印加する刺激信号発生回路と；
を含んでなり、
前記バッテリーパックが、
前記移動通信端末機本体とインターフェースする通信インターフェース部と；
前記電極モジュールと無線で通信する無線通信部と；
前記移動通信端末機本体からの電気刺激動作命令に応えて前記無線通信部を介して前記電極モジュールに該当電気刺激動作制御信号を送信するパック制御部と；
を含んでなることを特徴とする、携帯用神経／筋肉治療装置。
【請求項１４】
前記バッテリーパックが、一つ以上の刺激パターン情報を有し、対応刺激パターン情報を提供する刺激パターン処理部をさらに含んでなることを特徴とする、請求項１３に記載の携帯用神経／筋肉治療装置。
【請求項１５】
移動通信端末機本体と着脱可能に結合されるバッテリーパック、および電極モジュールからなり、
前記電極モジュールが、
前記バッテリーパックと無線で通信する第１無線通信部と；
前記第１無線通信部から、前記バッテリーパックからの筋電図信号検出動作制御信号を受けて筋電図信号検出回路の動作を制御し、検出された筋電図信号を前記第１無線通信部を介して前記バッテリーパックに送信する電極制御部と；
電極によって感知される筋電図信号を検出する前記筋電図信号検出回路と；
を含んでなり、
前記バッテリーパックが、
前記移動通信端末機本体とインターフェースする通信インターフェース部と；
前記電極モジュールと無線で通信する無線通信部と；
前記移動通信端末機本体からの筋電図信号測定動作命令に応えて前記無線通信部を介して前記電極モジュールに該当筋電図信号検出動作制御信号を送信し、筋電図信号処理された結果情報を前記通信インターフェース部を介して前記移動通信端末機本体に送信するパック制御部と；
前記無線通信部を介して電極モジュールから受信される筋電図検出データに応じて筋電図信号処理し、その結果情報を提供する筋電図信号処理部と；
を含んでなることを特徴とする、携帯用神経／筋肉治療装置。
【請求項１６】
移動通信端末機本体と着脱可能に結合されるバッテリーパック、および圧力センサーモジュールからなり、
前記圧力センサーモジュールが、
前記バッテリーパックと無線で通信する第１無線通信部と；
前記第１無線通信部から、前記バッテリーパックからの圧力測定動作制御信号を受けて圧力信号検出動作を制御し、検出された圧力信号を前記第１無線通信部を介して前記バッテリーパックに送信するセンサー制御部と；
前記圧力測定動作制御信号に応じて、圧力を検出し、これを前記センサー制御部に伝達する圧力センサーと；
を含んでなり、
前記バッテリーパックが、
前記移動通信端末機本体とインターフェースする通信インターフェース部と；
前記圧力センサーモジュールと無線で通信する無線通信部と；
前記移動通信端末機本体からの圧力測定動作命令に応えて前記無線通信部を介して前記圧力センサーモジュールに前記圧力測定動作制御信号を送信するパック制御部と；
を含んでなることを特徴とする、携帯用神経／筋肉治療装置。
【請求項１７】
前記移動通信端末機本体が、
前記バッテリーパックに設けられる前記通信インターフェース部と結合されて該当信号を送受信する外部通信インターフェース部と；
前記外部通信インターフェース部を介して受信される前記筋電図信号処理結果情報と圧力測定処理結果情報のなかでいずれか一つを無線データ通信部を介してホストコンピュータに送信し、前記無線データ通信部を介して入力される前記ホストコンピュータからの分析結果を表示部を介して表示するように制御する遠隔分析部と；
をさらに含んでなり、
前記表示部を介して操作案内情報を出力し、使用者操作部から入力される使用者操作信号の選択によって前記外部通信インターフェース部を介して前記バッテリーパックに該当動作を命令することを特徴とする、請求項１３〜１６のいずれか一項に記載の携帯用神経／筋肉治療装置。
【請求項１８】
移動通信端末機本体に電源を供給する電源供給端子と；
前記電源供給端子に直流電源を供給する少なくとも一つのバッテリーセルと；
移動通信端末機本体とインターフェースする通信インターフェース部と；
電極モジュールと無線で通信する無線通信部と；
前記移動通信端末機本体からの電気刺激動作命令に応えて前記無線通信部を介して前記電極モジュールに該当電気刺激動作制御信号を送信するパック制御部と；
を含んでなることを特徴とする、移動通信端末機のバッテリーパック装置。
【請求項１９】
前記バッテリーパック装置が、一つ以上の刺激パターン情報を有し、前記移動通信端末機本体からの電気刺激動作命令に応えて対応刺激パターン情報を提供する刺激パターン処理部をさらに含んでなることを特徴とする、請求項１８に記載の移動通信端末機のバッテリーパック装置。
【請求項２０】
移動通信端末機本体に電源を供給する電源供給端子と；
前記電源供給端子に直流電源を供給する少なくとも一つのバッテリーセルと；
前記移動通信端末機本体とインターフェースする通信インターフェース部と；
電極モジュールと無線で通信する無線通信部と；
前記移動通信端末機本体からの筋電図信号測定動作命令に応えて前記無線通信部を介して前記電極モジュールに該当筋電図信号検出動作制御信号を送信し、筋電図信号処理された結果情報を前記通信インターフェース部を介して前記移動通信端末機本体に送信するパック制御部と；
前記無線通信部を介して電極モジュールから受信される筋電図検出データに応じて筋電図信号処理し、その結果情報を提供する筋電図信号処理部と；
を含んでなることを特徴とする、移動通信端末機のバッテリーパック装置。
【請求項２１】
移動通信端末機本体に電源を供給する電源供給端子と；
前記電源供給端子に直流電源を供給する少なくとも一つのバッテリーセルと；
前記移動通信端末機本体とインターフェースする通信インターフェース部と；
圧力センサーモジュールと無線で通信する無線通信部と；
前記移動通信端末機本体からの圧力信号測定動作命令に応えて前記無線通信部を介して前記圧力センサーモジュールに圧力信号検出動作制御信号を送信し、圧力測定処理された結果情報を前記通信インターフェース部を介して前記移動通信端末機本体に送信するパック制御部と；
前記無線通信部を介して圧力センサーモジュールから受信される圧力検出データに応じて圧力測定処理し、その結果情報を提供する圧力測定処理部と；
を含んでなることを特徴とする、移動通信端末機のバッテリーパック装置。
【発明の詳細な説明】
【技術分野】
【０００１】
本発明は神経／筋肉治療機器に係り、特に携帯用神経／筋肉治療機器に関するものである。
【背景技術】
【０００２】
赤外線通信またはブルートゥース通信等のような近距離無線通信を移動通信端末機に適用する技術が開発されている。
【０００３】
大韓民国公開特許公報第２００１−００１８７１０号には、ブルートゥース通信を移動通信端末機に適用する技術が開示されている。
【０００４】
主知のように、ブルートゥースは、近距離で有線通信または赤外線通信を取り替える近距離無線通信の概念であって、ブルートゥース標準案（BLUETOOTH PROTOCOL）がエリクソン（ERICSSON）社によって提案されたが、前記ブルートゥース標準案は、近距離で通信の主体をマスターとしてその要求を収容し、ブルートゥース標準案にしたがって他のブルートゥースモジュールと通信を行う方法である。
【０００５】
図１に示すように、このようなブルートゥースモジュール２１０は、ＲＦ送信部２１１、ＲＦ受信部２１２、基底帯域（BASEBAND）処理部２１３、およびリンク制御部２１４から構成され、前記ブルートゥースモジュール２１０の基底帯域処理部２１３およびリンク制御部２１４は、ＨＣＩ（HOST CONTROL INTERFACE）によって移動通信端末機の制御部２２１に連結されてＨＣＩパケット（Packet）を送／受信することにより、制御命令とその結果、使用者の送受信データが送／受信される。前記ＨＣＩとしては、ＲＳ２３２Ｃ、ＵＳＢ、標準ＰＣインターフェースを使うことができ、前記ＨＣＩパケットは、Ｃｏｍｍａｎｄ、Ｅｖｅｎｔ、Ｄａｔａパケットに区分される。
【０００６】
また、移動通信端末機の機能を確張するために、バッテリーパックに追加的なオプション回路を内蔵させるアイディアが提示されて来た。１９９７．１０．１４日付けで刊行された日本特開平９−２７０８３６号には、移動通信端末機に着脱可能に結合されるバッテリーパックに内蔵されたラジオ回路で具現された付加装置を開示している。また、キムテジンなどによって出願されて２００１．３．１５日付けで公開された大韓民国公開特許公報第２００１−１９６６４号には、移動通信端末機のバッテリーパックにＭＰ３コデックとフラッシュメモリモジュールを内蔵し、移動通信端末機の使用者インターフェースを用いて制御するオーディオ再生装置について記載している。
【０００７】
本出願人は、バッテリーパックに付加機能を内蔵する場合、端末機本体のハードウェア的な変更なしに易しく多くの機能を具現することができるという点に着眼したことがある。そして、治療または診断機能のなかには、皮膚美容または生体インピーダンスによる体脂肪測定のように、日常的で持続的な治療とデータ収集が重要であることに注目した。したがって、本出願人は、移動通信端末機と結合されて低周波治療、超音波美容治療、生体インピーダンス測定などを支援することができるバッテリーパック装置を２００２．９．３日付けで大韓民国特許出願第２００２−５３００４号、同２００２−５２９９６号、同２００２−５２９９５号、同２００２−５２９９４号として出願したことがある。この装置は、バッテリーパック内に必要なプロブと関連駆動回路を内蔵し、移動通信端末機本体と通信し、移動通信端末機で実行される応用プログラムによってバッテリーパック内の回路を制御して前述の付加機能を支援する。
【０００８】
さらに、本出願人は、使用者に電極を着用することに負担を最小化し、日常生活を営むことにあって活動の容易性、操作の便利性、持続的な観察の可能な神経／筋肉治療を移動通信端末機と統合させるため、電極モジュールの具現方案、前記電極モジュールと移動通信端末期間のインターフェースを研究して来た。また、必要によっては、バッテリーパックに追加回路を含ませて既存の端末機ハードウェアを最小限に変更するために研究して来た。
【０００９】
一方、現在健康に対する関心が増えている。使用者（たとえば、患者）がいつでもどこでも簡単に直接医療治療または医療測定をすることができるようにし、持続的に身体の現状態を観察しようとする要求が増大している。
【００１０】
一般に、神経／筋肉治療法は、骨盤神経などの損傷した神経の再生と、不感症、性機能障害、尿失禁、痛症緩和、便秘、便失禁の治療の外にも、リハビリテーション治療等に広く使われている。
【００１１】
このような神経／筋肉治療法には、まず電気刺激法があるが、このなかには、神経の損傷等でこれ以上自発的に運動機能を制御することができない筋肉に電気刺激を加えて運動を誘発し、運動を復元するために、時間による電気刺激の強さを適切に調節して特定の動きを作る機能的電気刺激法（Functional Electrical Stimulation）がある。また、単純に筋肉の収縮と弛緩運動を繰り返す治療的電気刺激法がある。
【００１２】
また、人体の該当神経／筋肉に電極を接触させ、この電極で引き起こされる電圧信号を感知し、筋電図（ＥＭＧ、Electromyography）信号を測定し、これを画面表示して、治療効果を客観的に確認することができ、患者の訓練意志を強くする生体帰還法（Bio Feedback）がある。
【００１３】
上述した神経／筋肉治療において、人体の該当神経／筋肉に接触して電気信号を放射するかまたは引き起こされる電圧信号を感知するための電極が必要であるが、女性の膣または尻にある括約筋等のような体腔（Body Cavity）に電極を挿入する治療方式と、表皮に電極を付着用する治療方式とに分けられる。
【００１４】
一方、このような神経／筋肉治療のための多くの多様な構成の装備が開示されている。
【００１５】
大韓民国登録実用新案公報第２０−０２９２０３４号には、従来の神経／筋肉治療に使われる装備の一例が開示されているが、図２に示すように、身体の該当部位に接触される電極部２０１（図２の例では、膣挿入形態と肛門挿入形態である体腔挿入用電極）と、刺激信号発生回路部、筋電図信号検出回路部、刺激パターン信号と筋電図信号処理を担当する信号処理部、電気刺激動作と筋電図測定動作を全般的に制御する制御部（図示せず）、使用者操作部、および画面表示部（図示せず）などを備える制御装備２０５と、電極部１０１と制御装備１０５との間を連結するケーブル２０３とからなる。
【００１６】
ところが、このような従来の構成によれば、制御装備２０５と電極部２０１が有線のケーブル２０３によって連結される形態である。これにより、手術者（医者、看護婦）とともに室内（たとえば、病室）で神経／筋肉治療を受けなければならないので、自由な活動ができなくて非常に不便である。
【００１７】
大韓民国登録特許公報第１０−０３１０３０５号と大韓民国登録実用新案公報第２０−０２８１９２６号には、有線ケーブルを介して連結される別途の制御装置を備えていなく、単一携帯装置内に電極部、回路部、操作部、制御部等がすべて備えられて、患者の活動性を保障する携帯形態の電気刺激器の構成が開示されている。
【００１８】
しかし、まず、単一ハウジング内に必要なすべての構成要素が内蔵されなければならないので、そのサイズが相対的に大きくなるため、体腔挿入用として使うには困難がある。すなわち、このような構成によれば、携帯装置のサイズが相対的に大きいため、携帯装置ハウジング全体が人体の膣または肛門に挿入されることが難しい。また、使用者操作部が単一携帯装置に備えられる形態であるので、使用者は必要時度に体腔内から携帯装置を取り出して操作しなければならないため、着用しなかった時のような日常生活を営むことができない問題点がある。
【００１９】
特に、このような構成によれば、生体帰還治療には一層活用できない。生体帰還治療によれば、信号処理された筋電図測定結果が画面に表示されなければならないが、このような筋電図測定結果を画面に表示するための構成が携帯装置内にすべて備えられなければならなければ、携帯装置のサイズは一層大きくなることになるからである。
【００２０】
大韓民国登録特許公報第１０−０３２８４８３号には、筋電図信号処理部が器機本体から物理的に分離可能になって、携帯用に活用可能な尿失禁治療装置についての構成が開示されている。
【００２１】
前記公報の構成を図３〜図５を参照して説明する。前記公報の構成においては、図３の筋電図信号処理部８０を、図４のように、器機本体に一体に備えられる合体型筋電図信号処理部８０ａと前記器機本体から分離される分離型筋電図信号処理部８０ｂとを含み、各筋電図信号処理部は、選択的にケーブルを介して電極に連結させるものである。また、分離型筋電図信号処理部８０ｂは身に着用可能な形態、例えば、ベルトで腰に固定する形態に具現されて、患者が尿失禁治療を受けているうちにも充分に日常生活を営むようにするものである。
【００２２】
しかし、このような構成を詳細に分析して見れば、下記のような問題点が発見される。まず、電極と分離型筋電図信号処理部８０ｂは物理的に分離されており、ケーブルによって連結される構成であるので、電極に連結されるケーブルが体腔内から出ることになって美観上または感じ上良くなく、分離型筋電図信号処理部８０ｂを腰に着用するなどのように、別に運ばなければならないので、患者が電極治療をする前とまったく同様な生活を営むことはできなくて依然として不便な点がある。
【００２３】
特に、前記公報では、器機本体までも携帯形態で具現することができる方案を提示しなかった。図５に示すように、前記公報の電気治療装置の器機本体は前述した大韓民国登録実用新案公報第２０−０２９２０３４号のようなタイプであって、電気刺激および筋電図測定のための操作、制御、画面表示のためには、携帯用ではなく病院等で使用する大きいサイズの制御装置を使わなければならない。
【００２４】
これにより、たとえ分離型筋電図信号処理部８０ｂを使うとしても、筋電図測定結果を器機本体がある所に行って確認することができ、また操作もすることができた。また、器機本体と分離型筋電図信号処理部８０ｂの通信可能範囲は限界があるため、患者は器機本体から遠く離れた所までは移動することができなくなる。
【特許文献１】大韓民国公開特許公報第２００１−００１８７１０号
【特許文献２】日本特開平９−２７０８３６号
【特許文献３】大韓民国公開特許公報第２００１−１９６６４号
【特許文献４】大韓民国登録実用新案公報第２０−０２９２０３４号
【特許文献５】大韓民国登録特許公報第１０−０３１０３０５号
【特許文献６】大韓民国登録実用新案公報第２０−０２８１９２６号
【特許文献７】大韓民国登録特許公報第１０−０３２８４８３号
【発明の開示】
【発明が解決しようとする課題】
【００２５】
本発明はこのような状況に鑑みてなされたもので、使用者が電極または圧力センサーを着用するのに負担を最小化し、日常生活を営むにあって、携帯の容易性、活動の容易性、操作の便利性、持続的な観察の可能な携帯用神経／筋肉治療機器を提供することにその目的がある。
【００２６】
また、本発明は、従来の移動通信端末機のハードウェアを最小に変更しながら経済的に神経／筋肉治療装置を具現することにその他の目的がある。
【課題を解決するための手段】
【００２７】
本発明一事観点によれば、前記およびその他の目的は、対応する外部の無線通信部と通信が可能なモジュール側無線通信部と；前記モジュール側無線通信部から、前記外部無線通信部からの電気刺激動作制御信号を受けて電気刺激動作を制御する電極制御部と；前記電気刺激動作制御信号に応じて対応電気刺激信号を発生してこれを電極に印加する刺激信号発生回路；を含んでなる電極モジュールを提供することにより達成できる。
【００２８】
本発明のこの観点によれば、外部とのインターフェースが、従来のように、ケーブルによるものでなく無線通信によってなされるので、使用者が電極モジュールを着用するのに負担を減らすことができ、電極モジュールには刺激信号出力と関係する最小限のアナログ回路および外部との通信のための構成のみが設けられるので、前記電極モジュールを簡単に具現することができ、サイズが減少して電極モジュールの着用負担を減らすことができる。
【００２９】
本発明の他の観点によれば、対応する外部の無線通信部と通信が可能な第１無線通信部と；前記第１無線通信部から、前記外部の無線通信部からの筋電図測定動作制御信号を受けて筋電図信号検出動作を制御し、検出された筋電図信号を前記第１無線通信部を介して前記外部無線通信部に送信する電極制御部と；前記筋電図測定動作制御信号に応じて、身体の該当部位から発生して電極を介して引き起こされる筋電図信号を検出して前記電極制御部に伝達する筋電図信号検出回路と；を含んでなる電極モジュールが提供される。
【００３０】
本発明のこの観点によれば、外部とのインターフェースが、従来のように、ケーブルによるものでなく無線通信によってなされるので、使用者が電極モジュールを着用するのに負担を減らすことができ、電極モジュールには刺激信号出力と関係する最小限のアナログ回路および外部との通信のための構成のみが設けられるので、前記電極モジュールを簡単に具現することができ、サイズが減少して電極モジュールの着用負担を減らすことができる。
【００３１】
好ましくは、前記電極モジュールは、外周面が非導電性を有する円筒状の本体と；前記本体の外周面に設けられる導電性の前記電極と；前記本体の外周面に設けられる少なくとも一つ以上の離脱防止突出部と；を少なくとも含む体腔挿入用であり、前記第１無線通信部、前記電極制御部、および前記回路部が前記本体に内蔵される。
【００３２】
したがって、電極モジュールのハウジング全体が体腔内部に挿入でき、着用に対する負担が最小化され、無線通信によって自由な日常活動が保障される。
【００３３】
本発明のさらに他の観点によれば、対応する外部の無線通信部と通信が可能な第１無線通信部と；前記第１無線通信部から、前記外部の無線通信部からの圧力測定動作制御信号を受けて圧力信号検出動作を制御し、検出された圧力信号を前記第１無線通信部を介して前記外部無線通信部に送信するセンサー制御部と；前記圧力測定動作制御信号に応じて、圧力を検出し、これを前記センサー制御部に伝達する圧力センサーと；を含んでなる圧力センサーモジュールが提供される。
【００３４】
本発明のこの観点によれば、外部とのインターフェースが無線通信によってなされるので、使用者が圧力センサーモジュールを着用するのに負担を減らすことができ、圧力センサーモジュールには圧力検出と関係する最小限のアナログ回路および外部との通信のための構成のみが設けられるので、前記圧力センサーモジュールを簡単に具現することができ、サイズが減少して圧力センサーモジュールの着用負担を減らすことができる。
【００３５】
好ましくは、前記圧力センサーモジュールは、ゴム性質を有する円筒状の本体と；前記本体の外周面に設けられる少なくとも一つ以上の離脱防止突出部と；を少なくとも含む体腔挿入用であり、前記第１無線通信部、前記センサー制御部、および前記圧力センサーが前記本体に内蔵される。
【００３６】
したがって、圧力センサーモジュールのハウジング全体が体腔内部に挿入できるので、着用に対する負担が最小化し、無線通信によって自由な日常活動が保障される。
【００３７】
本発明の他の観点によれば、相互間に無線通信を行う本体、および電極モジュールからなり、前記電極モジュールは、前記本体と無線で通信する第１無線通信部と；前記第１無線通信部から、前記本体からの電気刺激動作制御信号を受けて電気刺激動作を制御する電極制御部と；前記電気刺激動作制御信号に応じて対応電気刺激信号を発生し、これを電極に印加する刺激信号発生回路と；を含んでなり、前記本体は、使用者操作部と；表示部と；前記電極モジュールと無線で通信する第２無線通信部と；前記表示部を介して操作案内情報を出力し、前記使用者操作部から入力される使用者操作信号の選択によって前記無線通信部を介して前記電極モジュールに前記電気刺激動作制御信号を送信する本体制御部と；を含んでなる携帯用神経／筋肉治療装置が提供される。
【００３８】
本発明のこの観点によれば、電極モジュールには、神経／筋肉治療と関係する最小限のアナログ回路および外部との無線通信のための構成のみが設けられるので、前記電極モジュールを簡単に具現することができ、電極モジュールのサイズが減少して電極モジュールの着用負担を減らすことができ、特に、体腔挿入用の電極モジュールの場合には、電極モジュールのハウジング全体が体腔内部に挿入できるので、着用に対する負担が最小化され、使用者インターフェースと関係する部分が本体に設けられるので、無線通信により、自由な日常活動が保障され、使用が便利で携帯が容易になる。
【００３９】
好ましくは、前記本体は、一つ以上の刺激パターン情報を有し、対応刺激パターン情報を提供する刺激パターン処理部をさらに含んでなる。
【００４０】
したがって、上述した特徴と有する携帯用神経／筋肉治療機器を使用して多様な形態の刺激パターンで電気刺激を受けることができる。
【００４１】
本発明のさらに他の観点によれば、相互間に無線通信を行う本体、および電極モジュールからなり、前記電極モジュールは、前記本体と無線で通信する第１無線通信部と；前記第１無線通信部から、前記本体からの筋電図信号検出動作制御信号を受けて筋電図信号検出回路の動作を制御し、検出された筋電図信号を前記第１無線通信部を介して前記本体に送信する電極制御部と；電極によって感知される筋電図信号を検出する前記筋電図信号検出回路と；を含んでなり、前記本体が、使用者操作部と；表示部と；前記電極モジュールと無線で通信する第２無線通信部と；前記表示部を介して操作案内情報を出力し、前記使用者操作部から入力される使用者操作信号の選択によって前記第２無線通信部を介して前記電極モジュールに前記筋電図信号検出動作制御信号を送信し、筋電図信号処理された結果情報を前記表示部を介して出力する本体制御部と；前記第２無線通信部から受信される前記電極モジュールからの筋電図検出データに応じて筋電図信号処理し、その結果情報を提供する筋電図信号処理部と；を含んでなる携帯用神経／筋肉治療装置が提供される。
【００４２】
本発明のこの観点によれば、電極モジュールには、神経／筋肉治療と関係する最小限のアナログ回路および外部との無線通信のための構成のみが設けられるので、前記電極モジュールを簡単に具現することができ、電極モジュールのサイズが減少して電極モジュールの着用負担を減らすことができ、特に、体腔挿入用の電極モジュールの場合には、電極モジュールのハウジング全体が体腔内部に挿入できるので、着用に対する負担が最小化され、使用者インターフェースと関係する部分が本体に設けられるので、無線通信により、自由な日常活動が保障され、使用が便利で携帯が容易になる。
【００４３】
本発明の他の観点によれば、相互間に無線通信を行う本体、および圧力センサーモジュールからなり、前記圧力センサーモジュールは、前記本体と無線で通信する無線通信部と；前記第１無線通信部から、前記本体からの圧力測定動作制御信号を受けて圧力信号検出動作を制御し、検出された圧力信号を前記第１無線通信部を介して前記本体に送信するセンサー制御部と；前記圧力測定動作制御信号に応じて、圧力を検出し、これを前記センサー制御部に伝達する圧力センサーと；を含んでなり、前記本体は、使用者操作部と；表示部と；前記圧力センサーモジュールと無線で通信する第２無線通信部と；前記表示部を介して操作案内情報を出力し、前記使用者操作部から入力される使用者操作信号の選択によって前記無線通信部を介して前記圧力センサーモジュールに前記圧力測定動作制御信号を送信し、圧力測定処理された結果情報を前記表示部を介して出力する本体制御部と；前記第２無線通信部から受信される前記圧力センサーモジュールからの圧力検出データに応じて圧力測定処理し、その結果情報を提供する圧力測定処理部と；を含んでなる携帯用神経／筋肉治療装置が提供される。
【００４４】
本発明のこの観点によれば、圧力センサーモジュールには、神経／筋肉治療と関係する最小限のアナログ回路および外部との無線通信のための構成のみが設けられるので、前記圧力センサーモジュールを簡単に具現することができ、電極モジュールのサイズが減少して圧力センサーモジュールの着用負担を減らすことができ、特に、体腔挿入用の電極モジュールの場合には、圧力センサーモジュールのハウジング全体が体腔内部に挿入できるので、着用に対する負担が最小化され、使用者インターフェースと関係する部分が本体に設けられるので、無線通信により、自由な日常活動が保障され、使用が便利で携帯が容易になる。
【００４５】
好ましくは、前記本体が移動通信端末機である。
【００４６】
したがって、ブルートゥースモジュール等のような無線通信部が備えられれば、移動通信端末機が本体の役目をすることができるので、携帯が便利な移動通信端末機と神経／筋肉治療機器が統合され、日常生活を営むのにあって、携帯の容易性、活動の容易性、操作の便利性、持続的な観察が可能になる。
【００４７】
好ましくは、前記本体は、前記筋電図信号処理結果情報と圧力測定結果情報のなかでいずれか一つを無線データ通信部を介してホストコンピュータに送信し、前記無線データ通信部を介して入力される前記ホストコンピュータからの分析結果を前記表示部を介して表示するように制御する遠隔分析部をさらに含んでなる。
【００４８】
したがって、遠隔ホストに多い会員の筋電図測定データを集中させて管理して、会員別にヒストリーを管理するので、筋電図測定データを効果的に活用するのが可能であり、一また、このような筋電図測定データを専門家に依頼するかまたは専門家分析システムを用いて分析して携帯用移動通信端末機等に提供することにより、自分の神経／筋肉治療の進行状態とこれからの治療方案等をいつでもどこでもチェックして確認することができる。
【００４９】
本発明のさらに他の観点によれば、移動通信端末機本体と着脱可能に結合されるバッテリーパック、および電極モジュールからなり、前記電極モジュールは、前記バッテリーパックと無線で通信する第１無線通信部と；前記第１無線通信部から、前記バッテリーパックからの電気刺激動作制御信号を受けて電気刺激動作を制御する電極制御部と；前記電気刺激動作制御信号に応じて対応電気刺激信号を発生し、これを電極に印加する刺激信号発生回路と；を含んでなり、前記バッテリーパックは、前記移動通信端末機本体とインターフェースする通信インターフェース部と；前記電極モジュールと無線で通信する無線通信部と；前記移動通信端末機本体からの電気刺激動作命令に応えて前記無線通信部を介して前記電極モジュールに該当電気刺激動作制御信号を送信するパック制御部と；を含んでなる携帯用神経／筋肉治療装置が提供される。
【００５０】
本発明のこの観点によれば、電極モジュールには神経／筋肉治療と関係する最小限のアナログ回路および外部との無線通信のための構成のみが設けられるので、前記電極モジュールを簡単に具現することができ、電極モジュールのサイズが減少して電極モジュールの着用負担を減らすことができ、特に、体腔挿入用の電極モジュールの場合には、電極モジュールのハウジング全体が体腔内部に挿入できるので、着用に対する負担が最小化され、神経／筋肉治療機能が移動通信端末機と結合されるので、日常生活を営むのにあって携帯の容易性、活動の容易性、操作の便利性、持続的な観察が可能になり、移動通信端末機本体の変形を最小化することができ、従来の移動通信端末機の操作部と表示部を使うので、低い費用で具現することができ、分析結果をいつも携帯する移動通信端末機を介して持続的に観察することができることになり、神経／筋肉治療のための使用者インターフェースはＧＶＭ（General Virtual Machine）などのような仮想マシーン基盤のアプリケーションの形態に移動通信端末機に容易に具現することができる。
【発明を実施するための最良の形態】
【００５１】
本発明の前記およびそのほかの観点は添付図面を参照して以降に説明する本発明の好適な実施例からより明らかに理解可能であろう。以降の説明は、当業者が好適な実施例から本発明を容易に理解し実現することができるように詳細に提供する。
【００５２】
図６は本発明による移動通信端末機と電極モジュールの外観を示す。図示のように、本発明による移動通信端末機は、本体１０と、この本体に着脱可能に結合され、電気刺激および／または筋電図測定に必要な構成の一部が内蔵されたバッテリーパック２０とを含む。
【００５３】
本発明の一実施例によれば、バッテリーパック２０は、移動通信端末機本体１０から動作命令を受け、電極モジュール３０に該当動作制御信号を無線で送信する。本発明の他の実施例によれば、移動通信端末機１０は、電極モジュール３０に直接該当動作制御信号を無線で送信する。
【００５４】
図７は本発明による携帯用神経／筋肉治療器機の一例の構成を示す。
【００５５】
図７に示すように、神経／筋肉治療機能を有する本発明の一実施例による移動通信端末機は、本体７３０と；前記本体７３０と着脱可能に結合されるバッテリーパック７２０と；を含む。前記バッテリーパック７２０は、前記移動通信端末機本体７３０とインターフェースする通信インターフェース部７１３と；電極モジュール７１０と無線で通信する無線通信部７１５と；前記無線通信部７１５を介して前記電極モジュール７１０に該当動作制御信号を送信するパック制御部７１７と；を含む。前記本体７３０は、使用者操作部７０７と；表示部７０９と；無線データ通信網（図示せず）を介して信号を送／受信する無線データ通信部７０１と；前記バッテリーパック７２０に設けられる通信インターフェース部７１３と結合されて該当信号を送受信する外部通信インターフェース部７０５と；前記表示部７０９を介して操作案内情報を出力し、前記使用者操作部７０７から入力される使用者操作信号の選択によって、前記外部通信インターフェース部７０５を介して前記バッテリーパック７２０に該当動作を命令する本体制御部７０３と；を含んでなることを特徴とする。
【００５６】
まず、バッテリーパック７２０について説明する。
【００５７】
通信インターフェース部７１３は、望ましい一実施例において、ＵＳＢポートであって、物理的にはバッテリーパック７２０の本体７３０との結合面の接点で具現される。この接点は電源供給端子と隣接して設けられることが望ましい（図示せず）。改善された最近の携帯電話に採択されたメーンチップ、例えばクアルコム社のＭＳＭ５０００チップは、その自体にＵＳＢインターフェースを支援する。使用者がバッテリーパック７２０を移動通信端末機本体７３０に通常の方法で結合すれば、バッテリーパック７２０の結合面と対応する移動通信端末機の結合面（図示せず）に設けられたインターフェース間の連結がなされて便利に通信インターフェース間の物理的結合がなされる。
【００５８】
電極モジュール７１０と無線で通信する無線通信部７１５はブルートゥースモジュールとなることができる。以下の説明では、この無線通信部７１５をブルートゥースモジュールと仮定して説明する。
【００５９】
ブルートゥースモジュール７１５は、対応する外部のブルートゥースモジュール７２５（電極モジュール７１０に設けられる）とデータ通信を行う無線リンクを提供する。ブルートゥース通信は、周波数ホッピング（Frequency Hopping）方式のＣＤＭＡ通信により近距離（おおよそ１０ｍ以内）装置間の点対点および多重点連結を支援する。伝送速度は１Ｍｂｐｓまで可能であり、データの伝送はＡＣＬ（Asynchronous Connectionless）リンクとＳＣＯ（Synchronous Connection Oriented）リンクを介して行われる。ブルートゥースで支援するシリアルポートプロファイルの一つ、例えばＬＡＮアクセスプロファイルまたはＣＴプロファイルによっても本発明の無線リンクを具現することができる。ブルートゥースモジュールは、本発明の出願日以前に既に充分に商用化し発展して、現在は非常に小型の携帯用機器に適合した程度に小型モジュールで提供されている。ブルートゥースモジュールを通信リンクとして採択する場合、電磁波妨害による医療機器間のデータエラーの確率を最小にするという点で利点がある。また、小型家電器機に広く普及されるように見えるブルートゥースモジュールを採択することにより、他の器機間の接続がより容易になる。実際の具現において、ブルートゥースモジュール７１５は信号処理プロセッサとソフトウェアモジュールで具現されるので、物理的には、パック制御部７１７は同一信号処理プロセッサ内のさらに他のソフトウェアモジュールで具現されることもできる。
【００６０】
パック制御部７１７は、通信インターフェース７１３を介して移動通信端末機本体７３０から、使用者操作信号の選択による動作命令信号を受け、ブルートゥースモジュール７１５を介して電極モジュール７１０に該当動作制御信号を送信する。
【００６１】
バッテリーセル７２３は、通常的にバッテリーパック７２０内に含まれるバッテリーセルを意味する。
【００６２】
次に、移動通信端末機本体７３０について説明する。
【００６３】
無線データ通信部７０１は移動通信処理部であり得る。まず、無線データ通信部７０１を移動通信処理部と仮定して説明する。移動通信処理部７０１は、基地局（図示せず）間に送／受信される信号を処理する。移動通信処理部７０１は，基地局間に送／受信される信号を無線処理し、無線処理された受信信号を復調し、送信信号を変調する。この際、移動通信処理部７０１は、移動通信用として既に設定されている方式で変／復調動作を行うが、例えばチャンネルコーディング／デコーディング、直交コーティング／デコーディングのＣＤＭＡ変／復調動作を行うことができる。また、移動通信処理部７０１は、移動通信網と連携する無線データ通信網（たとえば、無線インターネットサーバー）とのデータ送／受信に対しても処理を行う。また、場合によっては、無線データ通信部７０１は無線ラン通信部であることもできる。この場合には、より制限された地域で無線通信が行われる。
【００６４】
使用者操作部７０７は使用者の操作による信号を受けて該当操作データを生成するものであって、キーパッド、タッチパネル、音声認識部、筆記体認識部等からなることができる。表示部７０９は液晶または有機ＥＬ素子からなることができる。
【００６５】
電源制御部７１１は、バッテリーパック７２０から受けた直流電源を処理して必要とする電圧に変換し、これを安定化させて本体７３０内の各構成要素に供給する。
【００６６】
一方、図示されてはないが、本体７３０には、移動通信端末機が備えている音声通話のためのスピーカー、マイク、および音声圧縮およびチャンネル通信のためのコデックがさらに含まれることができる。
【００６７】
外部通信インターフェース部７０５は前述したバッテリーパック７２０の通信インターフェース部７１３に対応するものであって、両インターフェースは同一プロトコルで具現され、物理的には、対応する形状の接点で具現されて相互結合される（図示せず）。
【００６８】
本体制御部７０３はマイクロプロセッサ内に具現されたソフトウェアモジュールで具現できる。改善したＣＤＭＡ集積回路、例えばクアルコム社のＭＳＮ系列のチップは、自体に高性能のマイクロプロセッサを内蔵している。このマイクロプロセッサでは、外部バスまたはシリアル通信リンクによりプログラム可能である。移動通信端末機のプログラミング環境は最近眩しく発展して、個人用コンピュータと類似の開発環境が提供され、ＧＶＭ（General Virtual Machine）のような仮想マシーン基盤のプログラミング環境が提供されている。本体制御部７０３によって行われる神経／筋肉治療と関連した動作制御手順は、このようなプログラミング環境を用いて容易に具現することができる。
【００６９】
本体制御部７０３は、神経／筋肉治療と関連したメニュー選択リストを表示部７０９で使用者に知らせ、使用者操作部７０７から使用者操作信号が入力されれば、これに対応する動作命令を外部通信インターフェース部７０５を介してバッテリーパック７２０に送信することになる。望ましくは、本体制御部７０３はバッテリーパック７２０に電気刺激動作を命令する。すると、パック制御部７１７は電極モジュール７１０に電気刺激動作制御信号を送信することになる。
【００７０】
一方、本発明の補助的な観点によれば、バッテリーパック７２０は、一つ以上の刺激パターン情報を有し、前記本体制御部７０３からの電気刺激動作命令に応えて該当刺激パターン情報を提供し、前記パック制御部７１７の内部または外部に設けられる刺激パターン処理部７１９と；をさらに含んでなることを特徴とする。
【００７１】
刺激パターン処理部７１９は、電気刺激信号として使える多様な形態の電気刺激パターン情報を記憶する。例えば、パルス波の場合には多様な形態が存在することができ、正弦波の場合にも電波、半波等のような形態があり得る。また、刺激パターン処理部７１９は電流パルスまたは電圧パルスを記憶することができる。
【００７２】
刺激パターン処理部７１９はマイクロプロセッサで実行されるソフトウェアモジュールで具現可能であり、パック制御部７１７からの電気刺激動作命令に応えて該当刺激パターン情報を提供する。前記電気刺激動作命令には、使用者操作による、特定電気刺激パターンの指定、信号の強さ、周波数等の情報が含まれることができる。このような刺激パターン処理部を具現することは神経／筋肉治療器機の製造分野では公知の技術であるので、その詳細な説明を省略する。
【００７３】
より詳しく説明すれば、図７に示すように、刺激パターン処理部７１９は、パック制御部７１７／ブルートゥースモジュール７１５／７２５／電極制御部７２７を介して、刺激信号発生回路７２９に連結される。したがって、刺激信号発生回路７２９が刺激パターン処理に該当制御信号を入力して該当刺激信号を発生することは、神経／筋肉治療器機の製造分野では公知の技術である。
【００７４】
パック制御部７１７は、前記提供される刺激パターン情報を電気刺激動作制御信号に含ませてブルートゥースモジュール７１５を介して電極モジュール７１０に送信することになる。
【００７５】
一方、本発明の他の観点によれば、前記バッテリーパック７２０は、前記電極モジュール７１０から受信される筋電図検出データに応じて筋電図信号処理し、その結果情報を提供し、前記パック制御部７１７の内部または外部に設けられる筋電図信号処理部７２１をさらに含み、前記パック制御部７１７は、前記移動通信端末機本体７３０からの筋電図測定動作命令に応えて、前記無線通信部７１５を介して前記電極モジュール７１０に筋電図測定動作制御信号を送信し、前記筋電図信号処理された結果情報を前記通信インターフェース７１３を介して前記移動通信端末機本体７３０に送信し、前記本体制御部７０３は、前記使用者操作部から入力される使用者操作信号の選択によって、前記外部通信インターフェース部７０５を介して前記バッテリーパック７２０に前記筋電図測定動作を命令し、前記バッテリーパック７２０からの前記筋電図信号処理結果情報を前記表示部７０９を介して出力することを特徴とする。
【００７６】
筋電図信号処理部７２１はマイクロプロセッサで実行されるソフトウェアモジュールで具現可能であり、前記電極モジュール７１０から受信されるデジタル化された筋電図検出データに応じて筋電図信号処理し、その結果情報（たとえば、グラフ、状態情報）を提供する。このような筋電図信号処理部７２１を具現することは神経／筋肉治療器機の製造分野では公知の技術であるので、その詳細な説明を省略する。
【００７７】
より詳しく説明すれば、図７に示すように、筋電図信号処理部７２１は、パック制御部７１７／ブルートゥースモジュール７１５／７２５／電極制御部７２７を介して、筋電図信号検出回路７３１に連結される。したがって、筋電図信号検出部７３１によって検出された筋電図信号がデジタルに変換されれば、筋電図信号処理部７２１がこれを該当信号処理して筋電図測定結果情報を生成することは、神経／筋肉治療器機の製造分野では公知の技術である。また、電極モジュール７１０が身体の括約筋に挿入される形態であれば、筋電図測定データは膣、肛門等のような括約筋筋電図データとなる。
【００７８】
パック制御部７１７は、移動通信端末機本体７３０からの筋電図測定動作命令に応えて、前記無線通信部７１５を介して前記電極モジュール７１０に筋電図測定動作制御信号を送信する。また、パック制御部７１７は、前記筋電図信号処理された結果情報を通信インターフェース７１３を介して移動通信端末機本体７３０に送信する。
【００７９】
一方、本発明の他の観点によれば、前記移動通信端末機本体７３０は、前記筋電図信号処理結果情報を前記無線データ通信部７０１を介してホストコンピュータ（図示せず）に送信し、前記無線データ通信部７０１から入力される分析結果を前記表示部７０９で表示するように制御し、前記本体制御部７０３の内部または外部に設けられる遠隔分析部（図示せず）をさらに含んでなることを特徴とする。
【００８０】
遠隔分析部は、無線インターネット等のような無線データ通信網を介して、予め指定されたホストに接続されるように無線データ通信部７０１を制御する。前記ホストとの接続がなされると、遠隔分析部は筋電図信号処理結果情報を前記ホストに送信する。前記筋電図信号処理結果情報は、個人別に割り当てられたホストのデータベースに記憶される。ホストが、ブラウザ等を介してアップロードされたデータに対して分析サービスを受けるかを質疑し、使用者がこのサービスを選択すれば、内部の筋電図測定専門家エンジン（図示せず）を実行させて、アップロードされたデータを分析する。この際、既存にデータベースに記憶された被測定者のヒストリーデータが一緒に分析できる。データ分析は専門家エンジンによって行われることもできるが、場合によっては、このデータを分析専門家に伝送して分析専門家が分析結果を入力するようにすることもできる。このような過程を経て分析された結果はホストによって被測定者の移動通信端末機本体７３０の無線データ通信部７０１を介して受信され、表示部７０９に表示されるように、遠隔分析部が制御する。これにより、表示部７０９は分析結果をテキストあるいはグラフィックモードで表示する。
【００８１】
一方、本発明の他の観点によれば、前記電極モジュール７１０は、前記バッテリーパック７２０の無線通信部７１５と通信するモジュール側無線通信部７２５と；前記モジュール側無線通信部７２５から前記バッテリーパック７２０からの電気刺激動作制御信号を受け、これを電気刺激発生回路７２９に伝達する電極制御部７２７と；前記電気刺激動作制御信号に応じて該当電気刺激信号を発生し、これを電極に印加する刺激信号発生回路７２９と；身体の該当部位に接触されて前記電気刺激信号を出力する電極７３３と；を含んでなることを特徴とする。
【００８２】
以下、本発明の一実施例による電極モジュールを図７のブロック構成図と図６の外観図に基づいて説明する。
【００８３】
本発明による電極モジュール７１０は表皮付着用または体腔挿入用に共に適用できる。体腔挿入用の場合、図６に示すように、電極モジュール７１０は、その外周面が非導電性を有し、略円筒状の本体からなり、前記本体の外周面には導電性の電極７３３が設けられる。また、前記本体の外周面には、体腔内に挿入された本体が離脱されることを防止するための少なくとも一つ以上の離脱防止突出部が設けられる。電極モジュール３０を体腔内に挿入することを容易にするためには、後述する刺激信号発生回路７２９、筋電図信号検出回路７３１、電極制御部７２７、およびブルートゥースモジュール７２５が本体内に内蔵されることが望ましい。
【００８４】
電極モジュール７１０に設けられるモジュール側無線通信部７２５はブルートゥースモジュールであり得る。以下の説明においては、モジュール側無線通信部７２５をブルートゥースモジュールと仮定して説明する。ブルートゥースモジュール７２５は外部の対応するブルートゥースモジュール７１５（図７の実施例においては、バッテリーパック７２０に設けられるブルートゥースモジュール７１５）と無線通信を行う。
【００８５】
電極制御部７２７は、前記モジュール側のブルートゥースモジュール７２５から前記外部のブルートゥースモジュール７１５（図７の実施例においては、バッテリーパック７２０に設けられるブルートゥースモジュール７１５）からの電気刺激動作制御信号を受けてこれを電気刺激発生回路７２９に伝達する。物理的には、電極制御部７２７はブルートゥースモジュール７２５と同一信号処理プロセッサ内のさらに他のソフトウェアモジュールで具現されることもできる。
【００８６】
電気刺激発生回路７２９は、前記電気刺激動作制御信号に応じて該当電気刺激信号を発生し、これを電極７３３に印加する。電気刺激発生回路７２９は、Ｄ／Ａ変換器、利得制御器、雑音フィルタ、増幅器、および変圧器等の素子の結合で具現できる（図示せず）。このような電気刺激発生回路７２９を具現することは、神経／筋肉治療器機の製造分野では公知の技術であるので、その詳細な説明を省略する。
【００８７】
電極７３３は、身体の該当部位（例えば、括約筋等）に接触されて前記電気刺激信号を出力する。
【００８８】
一方、本発明の他の観点によれば、前記電極モジュール７１０は、感知される筋電図信号を検出する筋電図信号検出回路７３１をさらに含む。前記電極７３３は、身体の該当部位から前記電気刺激信号を感知する。前記電極制御部７２７は、前記モジュール側の無線通信部７２５から前記外部の対応する無線通信部（図７の実施例においては、バッテリーパック７２０に設けられる無線通信部７１５）からの筋電図測定動作制御信号を受けて前記筋電図信号検出回路７３１の動作を制御し、前記検出された筋電図信号を前記モジュール側の無線通信部７２５を介して前記移動通信端末機に送信する動作をさらに行うことを特徴とする。
【００８９】
筋電図信号検出回路７３１は、電極７３３によって感知される筋電図信号を検出し、これを電極制御部７２７に伝達する。筋電図信号検出回路７３１は、電極７３３を介して印加される筋電図信号を増幅する増幅器と、前記増幅器の出力に対して雑音を除去する雑音フィルタと、雑音の除去された筋電図信号をデジタル信号に変換するＡ／Ｄ変換器等の素子の結合で具現することができる。このような筋電図信号検出回路７３１を具現することは、神経／筋肉治療器機の製造分野では公知の技術であるので、その詳細な説明を省略する。
【００９０】
前記電極モジュール７１０には示されていないが、自体に電源を維持し得るバッテリー、例えば、充電可能な２次電池または取り替え可能なバッテリーを含む。また、使わない時は、電源を遮断するために、受動電源スイッチが動作するか、あるいは電極制御部７２７と統合されたマイクロプロセッサがブルートゥースモジュール３４０による外部アクセスを監視し、使用中でないと判断されれば、自体電力モードを転換させて消耗電力が最小となるように、装置の各部品に供給される電力を制御する。
【００９１】
図８は本発明による携帯用神経／筋肉治療器機の他の例を示す。図８に示すように、本発明の他の観点によれば、本発明は、神経／筋肉治療機能を有する移動通信端末機において、使用者操作部８０７と；表示部８０９と；無線データ通信網を介して信号を送／受信する無線データ通信部８０１と；前記電極モジュール８１０と無線で通信する無線通信部８１５と；前記表示部８０９を介して操作案内情報を出力し、前記使用者操作部８０７から入力される使用者操作信号の選択によって、前記無線通信部８１５を介して前記電極モジュール８１０に該当動作を命令する制御部８０３と；を含んでなることを特徴とする。
【００９２】
図８の説明において、図７と重複する構成要素についての説明は省略する。
【００９３】
図８の実施例においては、電極モジュール８１０の無線通信部８２５と対応されて、神経／筋肉治療に関連した各種信号を無線で通信する本体側の無線通信部（たとえば、ブルートゥースモジュール）８１５と、電気刺激信号のパターンを処理するための刺激パターン処理部８１９と、検出された筋電図測定データを信号処理するための筋電図信号処理部８２１との構成が、バッテリーパック（図示せず）に設けられずに、移動通信端末機本体８２０に設けられる点で、図７の実施例とは異なる。
【００９４】
ブルートゥースモジュール８１５は移動通信端末機に内蔵されることができ、あるいは移動通信端末機に提供されているＩＦコネクタに外装型ブルートゥースアダプダが装着されて活用されることもできる。
【００９５】
また、図８の実施例においては、本体８２０が移動通信端末機本体であると説明したが、場合によっては、専用携帯器機となることもできることは勿論である。
【００９６】
図９は本発明による携帯用神経／筋肉治療器機の他の例を示す。
【００９７】
図９に示すように、本発明の他の観点によれば、本発明は、相互間に無線通信を行う本体９２０と；圧力センサーモジュール９１０と；からなる。前記圧力センサーモジュール９１０は、前記本体９２０と無線で通信する無線通信部９２５と；前記モジュール側無線通信部９２５から、前記本体９２０からの圧力側動作制御信号を受けて圧力信号検出動作を制御し、検出された圧力信号を前記モジュール側無線通信部９２５を介して前記本体９２０に送信するセンサー制御部９２７と；前記圧力測定動作制御信号に応じて、圧力を検出し、これを前記センサー制御部９２７に伝達する圧力センサー９３３と；を含んでなる。前記本体９２０は、使用者操作部９０７と；表示部９０９と；前記圧力センサーモジュール９１０と無線で通信する本体側の無線通信部９１５と；前記表示部９０９を介して操作案内情報を出力し、前記使用者操作部９０７から入力される使用者操作信号の選択によって、前記無線通信部９１５を介して前記圧力センサーモジュール９１０に前記圧力測定動作制御信号を送信し、圧力測定処理された結果情報を前記表示部９０９を介して出力する本体制御部９０３と；前記本体側の無線通信部９１５から受信される前記圧力センサーモジュール９１０からの圧力検出データに応じて圧力測定処理し、その結果情報を提供する圧力測定処理部９１９と；を含んでなることを特徴とする。
【００９８】
図９の説明において、図７および図８と重複する構成要素についての説明は省略する。
【００９９】
本発明による圧力センサーモジュール９１０は体腔挿入用に適用できる。体腔挿入用の場合、圧力センサーモジュール９１０は略円筒状のゴム材質の本体からなり、前記本体の外周面には、体腔内に挿入された本体が離脱されることを防止するための少なくとも一つ以上の離脱防止突出部が設けられる。圧力センサーモジュール９１０が体腔内に挿入され空気の圧力を受けると、圧力センサー９３３はその圧力を検出することになる。
【０１００】
圧力センサーモジュール９１０を体腔内に挿入することを容易にするためには、圧力センサー９３３、センサー制御部９２７、およびモジュール側無線通信部９２５が本体内に内蔵されることが望ましい。
【０１０１】
圧力センサーモジュール９１０に設けられるモジュール側の無線通信部９２５はブルートゥースモジュールからなることができる。以下の説明においては、モジュール側の無線通信部９２５をブルートゥースモジュールと仮定して説明する。ブルートゥースモジュール９２５は、外部の対応するブルートゥースモジュール９１５（図９の実施例においては、本体９２０に設けられるブルートゥースモジュール９１５）と無線通信を行う。
【０１０２】
センサー制御部９２７は、前記モジュール側のブルートゥースモジュール９２５から前記外部のブルートゥースモジュール９１５（図９の実施例においては、本体９２０に設けられるブルートゥースモジュール９１５）からの圧力検出動作制御信号を受け、これを圧力センサー９３３に伝達する。物理的には、センサー制御部９２７は、ブルートゥースモジュール９２５と同一信号処理プロセッサ内のさらに他のソフトウェアモジュールで具現することもできる。
【０１０３】
圧力センサー９３３は、前記圧力検出動作制御信号に応じて空圧を検出し、これを電気的信号に変換してセンサー制御部に伝達する。このような圧力センサー９３３を具現することは、神経／筋肉治療器機の製造分野では公知の技術であるので、その詳細な説明を省略する。
【０１０４】
前記圧力センサーモジュール９１０には、示されてはないが、自体に電源を維持し得るバッテリー、例えば充電可能な２次電池または取り替え可能なバッテリーを含む。また、使わない時は電源を遮断するため、受動電源スイッチが動作するか、あるいはセンサー制御部９２７と統合されたマイクロプロセッサが、ブルートゥースモジュール９２５による外部アクセスを監視し、使用中でないと判断されれば、自体電力モードを転換させて消耗電力が最小になるように装置の各部品に供給される電力を制御する。
【０１０５】
本体９２０は移動通信端末機であり得る。本体９２０に設けられるブルートゥースモジュール（内蔵用または外装用）９１５は圧力センサーモジュール９１０と通信を行う。移動通信端末機制御部９０３は、表示部９０９を介して操作案内情報を出力し、前記使用者操作部９０７から入力される使用者操作信号の選択によって、前記ブルートゥースモジュール９１５を介して前記圧力センサーモジュール９１０に圧力測定動作制御信号を送信し、圧力測定処理された結果情報を表示部９０９で出力する。圧力測定処理部９１９は、前記本体側の無線通信部９１５から受信される前記圧力センサーモジュール９１０からの圧力検出データに応じて圧力測定処理し、その結果情報を提供する。
【産業上利用可能性】
【０１０６】
前記詳細な説明から明らかなように、本発明によれば、外部とのインターフェースが、従来のようにケーブルによるものでなく、無線通信によってなされるので、使用者が電極モジュールを着用するのにあって負担を減らすことができ、電極モジュールには、刺激信号出力と関係する最小限のアナログ回路および外部との通信のための構成のみが設けられるので、前記電極モジュールを簡単に具現することができ、これにより、サイズが減少して電極モジュールの着用負担を減らすことができる。
【０１０７】
また、電極モジュールのハウジング全体が体腔内部に挿入できるので、着用に対する負担が最小化され、無線通信によって自由な日常活動が保障される。
【０１０８】
また、電極モジュールには、神経／筋肉治療と関係する最小限のアナログ回路および外部との無線通信のための構成のみが設けられるので、前記電極モジュールを簡単に具現することができ、電極モジュールのサイズを減らして電極モジュールの着用負担を減らすことができ、特に、体腔挿入用の電極モジュールの場合には、電極モジュールのハウジング全体が体腔内部に挿入できるので、着用に対する負担が最小化され、使用者インターフェースと関係する部分が本体に設けられ、無線通信によるので、自由な日常活動が保障されて使用が便利で携帯が容易になる。
【０１０９】
また、前述した特徴を有する携帯用神経／筋肉治療機器を使用して、多様な形態の刺激パターンで電気刺激を受けることができる。
【０１１０】
また、ブルートゥースモジュール等のような無線通信部が備えられれば、移動通信端末機が本体の役目をすることができるので、携帯が便利な移動通信端末機と神経／筋肉治療機器が統合されて、日常生活を営むのにあって、携帯の容易性、活動の容易性、操作の便利性、持続的な観察が可能になる。
【０１１１】
また、遠隔ホストに多い会員の筋電図測定データを集中させて管理し、会員別にヒストリーを管理するので、筋電図測定データを効果的に活用することが可能であり、なお、このような筋電図測定データを、専門家に依頼するか、あるいは専門家分析システムを用いて分析して携帯用移動通信端末機等に提供することにより、自分の神経／筋肉治療の進行状態と、これからの治療方案等をいつでもどこでもチェックして確認することができる。
【０１１２】
また、電極モジュールには、神経／筋肉治療と関係する最小限のアナログ回路および外部との無線通信のための構成のみが設けられるので、前記電極モジュールを簡単に具現することができ、電極モジュールのサイズが減ることになり、電極モジュールの着用負担を減らすことができ、特に、体腔挿入用の電極モジュールの場合には、電極モジュールのハウジング全体が体腔内部に挿入可能であるので、着用に対する負担が最小化され、神経／筋肉治療機能が移動通信端末機と結合されるので、日常生活を営むのにあって、携帯の容易性、活動の容易性、操作の便利性、持続的な観察が可能となり、移動通信端末機本体の変形を最小化することができ、既存の移動通信端末機の操作部と表示部を使うので、低い費用で具現することができ、分析結果をいつも携帯する移動通信端末機を介して持続的に観察することができ、神経／筋肉治療のための使用者インターフェースはＧＶＭ（General Virtual Machine）などのような仮想マシーン基盤のアプリケーション形態で移動通信端末機に容易に具現することができることになる。
【０１１３】
また、外部とのインターフェースが無線通信によってなされるので、使用者が圧力センサーモジュールを着用するのにあって、負担を減らし、圧力センサーモジュールには、圧力検出と関係する最小限のアナログ回路および外部との通信のための構成のみが設けられるので、前記圧力センサーモジュールを簡単に具現することができ、サイズが減って、圧力センサーモジュールの着用負担を減らすことができる。また、圧力センサーモジュールのハウジング全体が体腔内部に挿入できるので、着用に対する負担が最小化され、無線通信によって自由な日常活動が保障される。
【０１１４】
また、本発明は、既存の尿失禁治療の外に、女性の性機能障害治療（性機能強化）、男性前立腺の痛症治療、肛門括約筋の機能障害で発生した晩成便秘および便失禁および一般筋骨格係の疾患の痛症治療および筋肉強化など、多様な治療分野に活用されることができる。
【図面の簡単な説明】
【０１１５】
本発明の前記およびそのほかの目的、特徴および利点は添付図面を参照する以降の詳細な説明からより明らかに理解可能であろう。
【図１】ブルートゥースモジュールを備える移動通信端末機の構成を示す図。
【図２】従来の神経／筋肉治療装置の一例を示す図。
【図３】従来の神経／筋肉治療装置の他の例を示す図。
【図４】従来の神経／筋肉治療装置のさらに他の例を示す図。
【図５】従来の神経／筋肉治療装置のさらに他の例を示す図。
【図６】本発明による移動通信端末機と電極モジュールの外観を示す図。
【図７】本発明による携帯用神経／筋肉治療器機の一例の構成を示す図。
【図８】本発明による携帯用神経／筋肉治療器機の他の例の構成を示す図。
【図９】本発明による携帯用神経／筋肉治療器機のさらに他の例の構成を示す図。
【図１】
2006515192.tif 000003
【図２】
2006515192.tif 000004
【図３】
2006515192.tif 000005
【図４】
2006515192.tif 000006
【図５】
2006515192.tif 000007
【図６】
2006515192.tif 000008
【図７】
2006515192.tif 000009
【図８】
2006515192.tif 000010
【図９】
2006515192.tif 000011
【手続補正書】
【提出日】平成16年3月15日(2004.3.15)
【手続補正１】
【補正対象書類名】特許請求の範囲
【補正対象項目名】全文
【補正方法】変更
【補正の内容】
【特許請求の範囲】
【請求項１】
対応する外部の無線通信部と通信が可能な第1無線通信部と；
前記第１無線通信部から、前記外部無線通信部からの電気刺激動作制御信号を受けて電気刺激動作を制御する電極制御部と；
前記電気刺激動作制御信号に応じて対応電気刺激信号を発生し、これを電極に印加する刺激信号発生回路と；を含んでなり、
前記電極モジュールが、
外周面が非導電性を有する円筒状の本体と；
前記本体の外周面に設けられる導電性の前記電極と；
前記本体の外周面に設けられる少なくとも一つ以上の離脱防止突出部と；
を少なくとも含む体腔挿入用であり、
前記第１無線通信部、前記電極制御部、および前記回路部が前記本体に内蔵されることを特徴とする、電極モジュール。
【請求項２】
対応する外部の無線通信部と通信が可能な第１無線通信部と；
前記第１無線通信部から、前記外部の無線通信部からの筋電図測定動作制御信号を受けて筋電図信号検出動作を制御し、検出された筋電図信号を前記第１無線通信部を介して前記外部無線通信部に送信する電極制御部と；
前記筋電図測定動作制御信号に応じて、身体の該当部位から発生して電極を介して引き起こされる筋電図信号を検出して前記電極制御部に伝達する筋電図信号検出回路と；を含んでなり、
前記電極モジュールが、
外周面が非導電性を有する円筒状の本体と；
前記本体の外周面に設けられる導電性の前記電極と；
前記本体の外周面に設けられる少なくとも一つ以上の離脱防止突出部と；
を少なくとも含む体腔挿入用であり、
前記第１無線通信部、前記電極制御部、および前記回路部が前記本体に内蔵されることを特徴とする、電極モジュール。
【請求項３】
対応する外部の無線通信部と通信が可能な第１無線通信部と；
前記第１無線通信部から、前記外部の無線通信部からの圧力測定動作制御信号を受けて圧力信号検出動作を制御し、検出された圧力信号を前記第１無線通信部を介して前記外部無線通信部に送信するセンサー制御部と；
前記圧力測定動作制御信号に応じて、圧力を検出し、これを前記センサー制御部に伝達する圧力センサーと；を含んでなり、
前記圧力センサーモジュールが、
ゴム性質を有する円筒状の本体と；
前記本体の外周面に設けられる少なくとも一つ以上の離脱防止突出部と；
を少なくとも含む体腔挿入用であり、
前記第１無線通信部、前記センサー制御部、および前記圧力センサーが前記本体に内蔵されることを特徴とする、圧力センサーモジュール。
【請求項４】
相互間に無線通信を行う本体、および電極モジュールからなり、
前記電極モジュールが、
前記本体と無線で通信する第１無線通信部と；
前記第１無線通信部から、前記本体からの電気刺激動作制御信号を受けて電気刺激動作を制御する電極制御部と；
前記電気刺激動作制御信号に応じて対応電気刺激信号を発生し、これを電極に印加する刺激信号発生回路と；
を含んでなり、
前記本体が、
使用者操作部と；
表示部と；
前記電極モジュールと無線で通信する第２無線通信部と；
前記表示部を介して操作案内情報を出力し、前記使用者操作部から入力される使用者操作信号の選択によって前記無線通信部を介して前記電極モジュールに前記電気刺激動作制御信号を送信する本体制御部と；
を含んでなることを特徴とする、携帯用神経／筋肉治療装置。
【請求項５】
前記本体が、一つ以上の刺激パターン情報を有し、対応刺激パターン情報を提供する刺激パターン処理部をさらに含んでなることを特徴とする、請求項４に記載の携帯用神経／筋肉治療装置。
【請求項６】
相互間に無線通信を行う本体、および電極モジュールからなり、
前記電極モジュールが、
前記本体と無線で通信する第１無線通信部と；
前記第１無線通信部から、前記本体からの筋電図信号検出動作制御信号を受けて筋電図信号検出回路の動作を制御し、検出された筋電図信号を前記第１無線通信部を介して前記本体に送信する電極制御部と；
電極によって感知される筋電図信号を検出する前記筋電図信号検出回路と；
を含んでなり、
前記本体が、
使用者操作部と；
表示部と；
前記電極モジュールと無線で通信する第２無線通信部と；
前記表示部を介して操作案内情報を出力し、前記使用者操作部から入力される使用者操作信号の選択によって前記第２無線通信部を介して前記電極モジュールに前記筋電図信号検出動作制御信号を送信し、筋電図信号処理された結果情報を前記表示部を介して出力する本体制御部と；
前記第２無線通信部から受信される前記電極モジュールからの筋電図検出データに応じて筋電図信号処理し、その結果情報を提供する筋電図信号処理部と；
を含んでなることを特徴とする、携帯用神経／筋肉治療装置。
【請求項７】
相互間に無線通信を行う本体、および圧力センサーモジュールからなり、
前記圧力センサーモジュールが、
前記本体と無線で通信する無線通信部と；
前記第１無線通信部から、前記本体からの圧力測定動作制御信号を受けて圧力信号検出動作を制御し、検出された圧力信号を前記第１無線通信部を介して前記本体に送信するセンサー制御部と；
前記圧力測定動作制御信号に応じて、圧力を検出し、これを前記センサー制御部に伝達する圧力センサーと；
を含んでなり、
前記本体が、
使用者操作部と；
表示部と；
前記圧力センサーモジュールと無線で通信する第２無線通信部と；
前記表示部を介して操作案内情報を出力し、前記使用者操作部から入力される使用者操作信号の選択によって前記無線通信部を介して前記圧力センサーモジュールに前記圧力測定動作制御信号を送信し、圧力測定処理された結果情報を前記表示部を介して出力する本体制御部と；
前記第２無線通信部から受信される前記圧力センサーモジュールからの圧力検出データに応じて圧力測定処理し、その結果情報を提供する圧力測定処理部と；
を含んでなることを特徴とする、携帯用神経／筋肉治療装置。
【請求項８】
前記本体が移動通信端末機であることを特徴とする、請求項４〜７のいずれか一項に記載の携帯用神経／筋肉治療装置。
【請求項９】
前記第２無線通信部が、前記移動通信端末機の通信コネクタに連結される外装型であることを特徴とする、請求項８に記載の携帯用神経／筋肉治療装置。
【請求項１０】
前記本体が、前記筋電図信号処理結果情報と圧力測定結果情報のなかでいずれか一つを無線データ通信部を介してホストコンピュータに送信し、前記無線データ通信部を介して入力される前記ホストコンピュータからの分析結果を前記表示部を介して表示するように制御する遠隔分析部をさらに含んでなることを特徴とする、請求項９に記載の携帯用神経／筋肉治療装置。
【請求項１１】
移動通信端末機本体と着脱可能に結合されるバッテリーパック、および電極モジュールからなり、
前記電極モジュールが、
前記バッテリーパックと無線で通信する第１無線通信部と；
前記第１無線通信部から、前記バッテリーパックからの電気刺激動作制御信号を受けて電気刺激動作を制御する電極制御部と；
前記電気刺激動作制御信号に応じて対応電気刺激信号を発生し、これを電極に印加する刺激信号発生回路と；
を含んでなり、
前記バッテリーパックが、
前記移動通信端末機本体とインターフェースする通信インターフェース部と；
前記電極モジュールと無線で通信する無線通信部と；
前記移動通信端末機本体からの電気刺激動作命令に応えて前記無線通信部を介して前記電極モジュールに該当電気刺激動作制御信号を送信するパック制御部と；
を含んでなることを特徴とする、携帯用神経／筋肉治療装置。
【請求項１２】
前記バッテリーパックが、一つ以上の刺激パターン情報を有し、対応刺激パターン情報を提供する刺激パターン処理部をさらに含んでなることを特徴とする、請求項１１に記載の携帯用神経／筋肉治療装置。
【請求項１３】
移動通信端末機本体と着脱可能に結合されるバッテリーパック、および電極モジュールからなり、
前記電極モジュールが、
前記バッテリーパックと無線で通信する第１無線通信部と；
前記第１無線通信部から、前記バッテリーパックからの筋電図信号検出動作制御信号を受けて筋電図信号検出回路の動作を制御し、検出された筋電図信号を前記第１無線通信部を介して前記バッテリーパックに送信する電極制御部と；
電極によって感知される筋電図信号を検出する前記筋電図信号検出回路と；
を含んでなり、
前記バッテリーパックが、
前記移動通信端末機本体とインターフェースする通信インターフェース部と；
前記電極モジュールと無線で通信する無線通信部と；
前記移動通信端末機本体からの筋電図信号測定動作命令に応えて前記無線通信部を介して前記電極モジュールに該当筋電図信号検出動作制御信号を送信し、筋電図信号処理された結果情報を前記通信インターフェース部を介して前記移動通信端末機本体に送信するパック制御部と；
前記無線通信部を介して電極モジュールから受信される筋電図検出データに応じて筋電図信号処理し、その結果情報を提供する筋電図信号処理部と；
を含んでなることを特徴とする、携帯用神経／筋肉治療装置。
【請求項１４】
移動通信端末機本体と着脱可能に結合されるバッテリーパック、および圧力センサーモジュールからなり、
前記圧力センサーモジュールが、
前記バッテリーパックと無線で通信する第１無線通信部と；
前記第１無線通信部から、前記バッテリーパックからの圧力測定動作制御信号を受けて圧力信号検出動作を制御し、検出された圧力信号を前記第１無線通信部を介して前記バッテリーパックに送信するセンサー制御部と；
前記圧力測定動作制御信号に応じて、圧力を検出し、これを前記センサー制御部に伝達する圧力センサーと；
を含んでなり、
前記バッテリーパックが、
前記移動通信端末機本体とインターフェースする通信インターフェース部と；
前記圧力センサーモジュールと無線で通信する無線通信部と；
前記移動通信端末機本体からの圧力測定動作命令に応えて前記無線通信部を介して前記圧力センサーモジュールに前記圧力測定動作制御信号を送信するパック制御部と；
を含んでなることを特徴とする、携帯用神経／筋肉治療装置。
【請求項１５】
前記移動通信端末機本体が、
前記バッテリーパックに設けられる前記通信インターフェース部と結合されて該当信号を送受信する外部通信インターフェース部と；
前記外部通信インターフェース部を介して受信される前記筋電図信号処理結果情報と圧力測定処理結果情報のなかでいずれか一つを無線データ通信部を介してホストコンピュータに送信し、前記無線データ通信部を介して入力される前記ホストコンピュータからの分析結果を表示部を介して表示するように制御する遠隔分析部と；
をさらに含んでなり、
前記表示部を介して操作案内情報を出力し、使用者操作部から入力される使用者操作信号の選択によって前記外部通信インターフェース部を介して前記バッテリーパックに該当動作を命令することを特徴とする、請求項１１〜１４のいずれか一項に記載の携帯用神経／筋肉治療装置。
【請求項１６】
移動通信端末機本体に電源を供給する電源供給端子と；
前記電源供給端子に直流電源を供給する少なくとも一つのバッテリーセルと；
移動通信端末機本体とインターフェースする通信インターフェース部と；
電極モジュールと無線で通信する無線通信部と；
前記移動通信端末機本体からの電気刺激動作命令に応えて前記無線通信部を介して前記電極モジュールに該当電気刺激動作制御信号を送信するパック制御部と；
を含んでなることを特徴とする、移動通信端末機のバッテリーパック装置。
【請求項１７】
前記バッテリーパック装置が、一つ以上の刺激パターン情報を有し、前記移動通信端末機本体からの電気刺激動作命令に応えて対応刺激パターン情報を提供する刺激パターン処理部をさらに含んでなることを特徴とする、請求項１６に記載の移動通信端末機のバッテリーパック装置。
【請求項１８】
移動通信端末機本体に電源を供給する電源供給端子と；
前記電源供給端子に直流電源を供給する少なくとも一つのバッテリーセルと；
前記移動通信端末機本体とインターフェースする通信インターフェース部と；
電極モジュールと無線で通信する無線通信部と；
前記移動通信端末機本体からの筋電図信号測定動作命令に応えて前記無線通信部を介して前記電極モジュールに該当筋電図信号検出動作制御信号を送信し、筋電図信号処理された結果情報を前記通信インターフェース部を介して前記移動通信端末機本体に送信するパック制御部と；
前記無線通信部を介して電極モジュールから受信される筋電図検出データに応じて筋電図信号処理し、その結果情報を提供する筋電図信号処理部と；
を含んでなることを特徴とする、移動通信端末機のバッテリーパック装置。
【請求項１９】
移動通信端末機本体に電源を供給する電源供給端子と；
前記電源供給端子に直流電源を供給する少なくとも一つのバッテリーセルと；
前記移動通信端末機本体とインターフェースする通信インターフェース部と；
圧力センサーモジュールと無線で通信する無線通信部と；
前記移動通信端末機本体からの圧力信号測定動作命令に応えて前記無線通信部を介して前記圧力センサーモジュールに圧力信号検出動作制御信号を送信し、圧力測定処理された結果情報を前記通信インターフェース部を介して前記移動通信端末機本体に送信するパック制御部と；
前記無線通信部を介して圧力センサーモジュールから受信される圧力検出データに応じて圧力測定処理し、その結果情報を提供する圧力測定処理部と；
を含んでなることを特徴とする、移動通信端末機のバッテリーパック装置。
【国際調査報告】
2006515192.tif 000012
2006515192.tif 000013